(57)【要約】【課題】本発明は、従来花の保存法としては、出来なかったしなやかさのある、乾燥花を作る方法である。この乾燥花は薬品、染料などを一切使用せずに、自然の色合いと柔らかさを保ち、常温での長期保存可能なのが、特徴である。一輪の花を花びらに分解して仕上げた乾燥花びらは、屈曲自在で細工に耐えるので、再びもとの様な花に作り上げることもできる。本発明は手軽にいつまでも楽しめる乾燥花の作成方法である。【解決手段】電子レンジを使って短時間の加熱を重ねる。途中で電子レンジから取り出し皺を延す。花の厚み、水分の含み具合による微調整の必要はあるが、概ね１−２分の加工工程によりしなやかな乾燥花びらを作成出来る。この乾燥花びらを基板上に複数周にわたってかさね、かつ立体的に接着し、花を作成する。【選択図】図２
2011148283.tif 000002
【特許請求の範囲】
【請求項１】
花を解体してその花びらをマイクロ波加熱により煮沸する第一工程と、
上記花びらの皺を延ばして、再度マイクロ波加熱により
上記花びらの水分を飛ばす第二工程からなる、乾燥花を作成する方法。
【請求項２】
花びらと花びらの間に紙片を差し込んだ花の周りを、紙でくるんだ状態でマイクロ波加熱により煮沸する第一工程と、再度マイクロ波加熱により、上記花の水分を飛ばす第二工程とからなる乾燥花を作成する方法。
【請求項３】
花を解体してその花びらを、マイクロ波加熱により煮沸する第一工程と、
上記花びらを再度マイクロ波加熱により、短時間でポプリを作る方法。
【請求項４】
請求項１で作成した花びらを、基板上に複数周にわたって重ね、かつ立体的に接着することにより作成した乾燥花。
【発明の詳細な説明】
【技術分野】
【０００１】本発明は牡丹、ばら、椿その他の花びらを立体的で、しなやかな、強度のある乾燥状態に加工し、それをふたたび花に咲かせる方法に関するものである。
【背景技術】
【０００２】  従来、花を保存して観賞するには、押し花、ドライフラワー、プリザープドフラワーなどが知られている。
【発明の開示】
【発明が解決しようとする課題】
【０００３】押し花では、花びらは平面的になり立体感が無くもろい。
ドライフラワーでは、完成に時間がかかる上、しなやかさは失われてもろいのが欠点となる。
プリザープトフラワーは、作成に際して脱色のための薬品、着色のための染料が必要なので、おのずと高価になるのが難点と思われる。
本発明では極く短時間に、薬品染料を全く使用せずに、長期の保存に耐えうるしなやかでカラフルで、香りさえ残した絹の様な花びらや、葉を作ることができる。
【課題を解決するための手段】
【０００４】花を解体し、花びらを、電子レンジに入れ、約３０秒‘あたため’で加熱する。この段階で、花びらは煮沸した状態になる。この後電子レンジからとりだし、花びらの皺を伸ばし、再び電子レンジに入れて約２０秒、次に１０秒というように‘あたため’で加熱し、ほどよく水分をとばす。この時の微調整による水分の残し方が、花びらの仕上がり方の重要な、ポイントとなる。また電子レンジで加熱の時間は少なくても２段階以上とし、一気にトータルした時間を加熱することは、しなやかさを得る上で避けた方がよい。ばらを、解体せずに一輪のままレンジ乾燥することも、一歩すすんで可能であるが、それも水分の残し方における基本作業は同じである。本発明は、以上の構成によりなる、しなやかな自然色の花びらを作る方法である。
【発明の効果】
【０００５】本発明は、しなやかで、張のある、本来の花の色を保った乾燥花びらを得る方法であり、この花びらは、屈曲自在なので、これを用いて豊富な花を再現することができる。更に常温で長期の保存が可能なので、美しい花を手軽に永く楽しむことができるものである。なお本発明は、化学薬品を、一切使用しないのが最大の長所である。
【発明を実施するための最良の形態】
【０００６】以下本発明の形態を図Ｉ〜１０に基ついて説明する。
（１）牡丹、ばら、芍薬などの花の花びらを、しなやかな乾燥花びらにする方法。
（イ）図１に示すように牡丹、芍薬、ばらなどの花１の花びら２を、いちまい一枚にばらす。
（ロ）図２のように、電子レンジ用耐熱皿３に、キッチンペーパー４を敷き（イ）の、ばらばらにした花びら２を、１０数枚重ならないように並べる。
（ハ）電子レンジ５の中に（ロ）の、花びら２を耐熱皿３ごと入れて‘あたため’で３０秒加熱する。
（ニ）耐熱皿３ごと取り出し花びら２の皺を伸ばし、電子レンジ５内にもどす。
（ホ）更に約１５〜２０秒‘あたため’で加熱する。
（ヘ）花びら２が、ペーパー４からはらりと離れるくらいを目安に、１０秒毎の‘あたため’加熱での微調整をして、ほどよく水分をとばす。この時しっかり加熱することが長期の保存に耐える条件となる。と同時に適度の水分を残すことが、しなやかさのために最重要な条件となる。適度のしなやかさを得られた花びら２は、ただちに電子レンジ５庫内から取り出し、決して庫内に置いて余熱にさらしてはならない。もろくなってしまうからである。【０００７】（２）ばらの花一輪まるごとを、しなやかな乾燥花にする方法。
（イ）図３のように花１の、花びら２と花びら２の間に、Ｖ字型の紙片６を差しこみ花びらどうしがくっつかないようにする。
（ロ）図４のように、（イ）の紙片６を差し込んだ花１の周りをティシュペーパー７でくるみ型崩れを防ぐ作業をする。
（ハ）（ロ）のティシュペーパー７でくるんだ花１を、電子レンジ５に入れ、約６０秒‘あたため’で加熱する。
（ニ）レンジ５から取り出し、しなやかさの加減を‘あたため’１０秒ごとの加熱で微調整して取り出す。
（ホ）花びらに差し込んであった紙片６を除き、花１の形を整える。【０００８】（３）ほたるぶくろ  カラーの花を立体的な乾燥花にする。
（イ）図５のようにほたるぶくろの花１０の中に、吸湿性のティシュペーパー７を柔らかくまるめて詰める。
（ロ）耐熱皿３に（イ）の、ティッシュ７を詰めたほたるぶくろの花１０をのせ約３０秒‘あたため’で加熱する。さらに１０秒ごとの’あたため’加熱でしなやかさの加減をする。
（ハ）電子レンジ５から取り出し、ティッシュペーパー７を除き、花１０の形を整える。
（ニ）カラーの花１１の場合も、同様に花の重なりの部分に、ティッシュペーパー７をやわらかくまるめて詰め、更に図５のように、カラーの花１１に針１４の先を刺して、１〜２個の穴をあける。加熱は、ほたるぶくろ１０と同様の手順で行う。穴をあけるのは、花びらの中の空気の抜け道を作りカラーの花１１が、風船のようにふくらむのを防ぐためである。【０００９】（４）牡丹、ばらなどの  芯の部分を乾燥保存する。
（イ）図６のように、芯８の底を、平らに切り取る。
（ロ）電子レンジ５に入れ６０秒‘あたため’で加熱する。
（ハ）電子レンジ５から取り出し、状態を見ながら、再度いれて電子レンジ５の’あたため’で１０秒ごと、水分を微調整する。
（ニ）しなやかな乾燥状態が得られたら、ただちに取り出し常温におく。【００１０】（５）簡単  迅速に、花のポプリを作る方法。
（イ）図２のように、花びら２を、キッチンペーパー４に、重ならないようににパラパラとおく。
（ロ）耐熱皿に（イ）のキッチンペーパー４に載せた花びら２を載せ電子レンジ５に入れ、‘あたため‘で、６０秒加熱する。微調整をしながら、、花作り用の花びらの仕上がりよりは、このポプリにする花びらは乾燥させて仕上げる。
（ハ）この時の花びらは、欠けたり、変形したものを、使えるので花１の全てを無駄なく利用出来る上、色々な花と混合させて彩り豊かなポプリを作ることが出来る。
（ニ）香りが、淡いとき、物足りないときは、好みのエッセンスを少々ふりかけて、半透明の和紙に包むなどして、色、香り手触りを楽しめるポプリを、短時間に作ることができる。【００１１】（６）上記（１）で仕上がった布状の花びらを用い  ばらの花を作る方法。
（イ）図７に示すように、、花びら２の裏の基部のみ、木工ボンド９をつける。木工ボンド９をつけた花びら２を、３センチ角の紙片１２の上に、外側から大きな花びら２を５枚、内側にやや小さな花びら２を５枚、間にくるように、立体的に接着し、これを繰り返し、中心はきつめに花びら２を巻き、形を整えてばらの花を作る。
（ロ）図８に示すようにのように（イ）で出来た花を小箱の上に接着し、花の飾りの付いた小物入れができる。【００１２】（７）上記（１）で仕上がった布状の牡丹の花びらを用い額飾りを作る方法。
（イ）図９のように５センチ角の紙片１３上に、ぼたんの花びら２の大きなものから、つまり外側下部分から、木工ボンド９で花びら２の基部のみを、付けていく。
（ロ）図１０に示すように、花びら２は、２周目さらに３，４，５周と、花びらの間、間に来るように重ねるが、中央にいくほど、立ち上がり気味に、角度を決めて立体感のある花のボリュウムを出すようにする。中央は空けておきそこに、（４）で出来ている牡丹の花芯８を、バランスよく置き木工ボンド９で付ける。
（ハ）図１１のように、色紙１５、あるいは額１６にあうボードに（ロ）で出来た牡丹の花を接着し、葉、つぼみなどデザインし立体的な花の額飾りを完成させる。
（ニ）図１１に用いる額１６は、色紙１５面からガラスなどの面までの空間を、５センチ以上必要とする。
【図面の簡単な説明】
【００１３】
【図１】  実施例  花を分解する図。
【図２】  実施例  花びらを電子レンジに入れる図。
【図３】  実施例  花びらをの間に紙片を差し込む工程の図。
【図４】  実施例  花をティッシュペーパーでくるむ図。
【図５】  実施例  ほたるぶくろとカラーの花の図。
【図６】  実施例  花の芯を切り取る図。
【図７】  実施例  ばらの花を作る工程図。
【図８】  実施例  ばらの花を飾る図。
【図９】  実施例  ぼたんの花を作る工程図。
【図１０】  実施例  ぼたんの花の芯をおく図。
【図１１】  実施例  ぼたんの花の額飾りの完成図。
【符号の説明】
【００１４】  １−花                        ２−花びら                ３−耐熱皿
４−キッチンペーパー          ５−電子レンジ            ６−Ｖ字型紙片
７−ティッシュペーパー        ８−花の芯                ９−木工ボンド
１０−ほたるぶくろの花        １１−カラーの花          １２−３センチ角紙片
１３−５センチ角紙片          １４−針                  １５−色紙
１６−額
【図１】
2011148283.tif 000003
【図２】
2011148283.tif 000004
【図３】
2011148283.tif 000005
【図４】
2011148283.tif 000006
【図５】
2011148283.tif 000007
【図６】
2011148283.tif 000008
【図７】
2011148283.tif 000009
【図８】
2011148283.tif 000010
【図９】
2011148283.tif 000011
【図１０】
2011148283.tif 000012
【図１１】
2011148283.tif 000013